(57)【要約】【課題】長時間に渡って使用者の頭部を挟持した時に使用者が苦痛を感じないようにした眼鏡フレームを構成する。【解決手段】レンズを保持するフロントフレームと、このフロントフレームの両側に設けられた鎧部と、この鎧部に連結される屈曲可能なテンプルとからなり、前記鎧部は２分割して両部分間に丁番を位置して折り畳み可能とするとともに、テンプル側の部分が弾性を有するようにし、使用者の頭部を挟持するために拡開する時、少なくとも前記鎧部のうちのテンプル側の部分が弾性変位し、これによってテンプルが頭部に対して湾曲状に当接する。【選択図】図１
2008058784.tif 000002
【特許請求の範囲】
【請求項１】
レンズを保持するフロントフレームと、該フロントフレームの両端部にそれぞれ設けられた鎧部と、この鎧部のうちの前記フロントフレームと反対側の部分に設けられたテンプルとを具え、前記鎧部は２分割されるとともに、分割された両部分を折り畳み可能とし、さらに、２分割された鎧部のうちの前記テンプル側の部分を弾性を有するように形成したことを特徴とする眼鏡フレーム。
【請求項２】
前記鎧部は２分割された両部分が丁番を介して折り畳み可能となっている請求項１記載の眼鏡フレーム。
【請求項３】
前記テンプルは、弾性を有し、前記鎧部の弾性を有する部分と協働してさらに弾性を発揮する請求項１記載の眼鏡フレーム。
【請求項４】
前記鎧部と反対側のテンプルの端部は被覆部材で被覆されている請求項１記載の眼鏡フレーム。
【発明の詳細な説明】
【技術分野】
【０００１】
この発明はレンズの周囲を保持するフロントフレームの両側に設けられた鎧部に弾性の部分を形成し、この弾性の部分とテンプルとが協働して弾性を発揮するようにした眼鏡フレームに関するものである。
【背景技術】
【０００２】
一般に眼鏡のフレームにあっては、特許文献１に示すようなフルリムタイプのものや、ハーフリムタイプ、ツーポイントタイプのものが存在する。そして、左右レンズを取り付けるリムの外側にはそれぞれ鎧部を介して使用者の頭部の側部に当接するテンプルが所定の拡開状態から内方に回動可能に取り付けられていて、折り畳み可能となっている。
【０００３】
上記のように構成されている一般的な眼鏡フレームにあっては、最大に外方に回動して停止した状態、すなわち最大拡開状態でテンプルが使用者の頭部の耳部の両側から挟んで使用者が使用しており、使用者の頭部の幅の大きさに応じて、主にテンプルの反り状態を調整したりして使用中に使用者がきつく感じないようにしていた。
【０００４】
しかしながら、上記のような従来の眼鏡フレームにあっては、主にテンプルの反り状態を調整することで使用者に最適な状態を確保しようとしているが、テンプルは鎧部と一体になっているので、テンプルの調整がリムに取り付けてある鎧部に影響を与えてしまうという問題があった。
しかも、調整は主にテンプルを調整することで行うので、どうしてもテンプルの鎧部側を変位しない状態でテンプルを湾曲させることになり、使用者の頭部にはテンプルの内面の一部が点状に当接する調整になって頭部への当接力が大きくなり、頭部に苦痛が生じる恐れがあるという問題点も有していた。
【特許文献１】特開２００３−４３４２７号公報（図１参照）
【発明の開示】
【発明が解決しようとする課題】
【０００５】
この発明は、リムとテンプルとの間を連結する鎧部を、２分割するとともに、両部分を丁番で連結して折り畳み可能とし、この鎧部のうちのテンプル側の部分を弾性を有するように形成してテンプル全体を鎧部の弾性によって変位可能としたので、眼鏡を掛けたり外したりする時にテンプルの一方あるいは双方が拡がってしまって装着感が悪くなり、掛けている時にずれたり、あるいは傾斜したりする恐れがあるが、それを防止することを目的とするものである。
また、テンプル全体を鎧部の弾性によって変位可能としたので、使用者の頭部に対してテンプルの内面の一部が当接するのではなく面状で当接するようにして使用者の頭部に対して小さい当接力が作用するようにして装着感を小さくし、頭部に苦痛が生じる恐れを無くする眼鏡フレームを提供することを目的とするものである。
【課題を解決するための手段】
【０００６】
この発明は、レンズを保持するフロントフレームと、該フロントフレームの両端部にそれぞれ設けられた鎧部と、この鎧部のうちの前記フロントフレームと反対側の部分に設けられたテンプルとを具え、前記鎧部は２分割されるとともに、分割された両部分を折り畳み可能とし、さらに、２分割された鎧部のうちの前記テンプル側の部分を弾性を有するように形成した手段を採用した。そして、前記鎧部は２分割された両部分が丁番を介して折り畳み可能となっており、前記テンプルは、弾性を有し、前記鎧部の弾性を有する部分と協働してさらに弾性を発揮するようになっている。さらに、前記鎧部と反対側のテンプルの端部は被覆部材で被覆されている。
【発明の効果】
【０００７】
この発明の眼鏡フレームにあっては、リムの両外側に取り付けられた鎧部を２分割して両部分を丁番を介して折り畳み可能とするとともに、リムと反対側の部分を弾性を有するようにし、この弾性の部分にテンプルを配設したので、テンプルが、鎧部の弾性によって変位可能となった。これにより眼鏡を掛けたり外したりする時にテンプルの一方あるいは双方が拡がってテンプル間が拡がってしまって装着感が悪くなり、掛けている時にずれたり、あるいは傾斜したりする恐れを防止できる。
また、テンプル全体を鎧部の弾性によって変位可能としたので、使用者の頭部に対してテンプル本体の内面の一部が当接するのではなく面状に当接して挟持するようになった。したがって、使用者の頭部に対して当接力が小さくなるようにして装着感を少なくし、使用中に使用者の頭部に苦痛が生じる恐れを無くすことができる。
また、テンプル自体を弾性を有するように形成すれば頭部への当接が柔らかくなるので、使用者の頭部に対して当接力がさらに小さくなって装着感が少なくなり、使用中に使用者の頭部に苦痛が生じる恐れを無くすことができる。
【発明を実施するための最良の形態】
【０００８】
以下、図面に示すこの発明の実施例について説明する。
図１にはこの発明による眼鏡フレーム１の概略平面図が、図２には概略正面図が、そして図３には斜め上方から見た概略図がそれぞれ示されており、さらに図４（ａ）にはリムに取り付けられた鎧部およびテンプルとの連結状態の概略図が、図４（ｂ）には鎧部を丁番で屈曲した状態の概略図が示されている。
【０００９】
この眼鏡フレーム１はハーフリムタイプであって、左右一対のレンズ２、２が取り付けられているとともに、ブリッジ４で連結されていて、フロントフレームを形成するリム３、３と、このリム３、３の外側端に設けられてレンズ２、２を交換等する時にリム３、３を拡開するとともに、レンズ２、２を位置した後にはレンズ２、２の外周を挟持するように固定する鎧部５、５とを具えている。
【００１０】
鎧部５、５は２分割されるとともに、両部分１０ａ、１０ｂが丁番１１で折り畳み可能に連結され、さらに、リム３、３と反対側の分割部分１０ｂは弾性を有するように構成されている。そして、この分割部分１０ｂに、使用者の頭部の耳部の上部を押圧し、その部位を挟持するようになっているテンプル９、９が連結されている。
すなわち、鎧部５、５はリム３、３に連結される一方の部分１０ａ、１０ａと、弾性を有しかつテンプル９、９が連結されている他方の部分１０ｂ、１０ｂとで構成されている。
【００１１】
したがって、２分割された他方の部分１０ｂが丁番１１によって図４（ａ）に示す状態から図４（ｂ）のように内方へ折り畳み可能となっており、これによりテンプル９、９も同様に内方に折り畳み可能となっている。
【００１２】
前記リム３、３の両側に設けられた鎧部５、５の他方の部分１０ｂ、１０ｂは、既述のように丁番１１を介して屈曲可能であり、さらに他方の部分１０ｂ、１０ｂは略３６０°湾曲されて湾曲部６、６に形成されるとともに、テンプル９、９が溶接等で連結されている。また、テンプル９の端部は被覆部材８、８で被覆されている。
【００１３】
したがって、前記丁番１１、１１によって前記テンプル９、９は図に示す最大限に開放した位置とこの位置から内方に折り畳んだ位置との間を折り畳み可能となっている。
なお、１４、１４は使用者の鼻の両側に当接するノーズパッドである。
【００１４】
上記のように構成された眼鏡フレーム１において、まず、折り畳んだ状態から両テンプル９、９を拡開して図示の状態とし、使用者が使用し得る状態とする。
そして、使用者が使用を開始するために両テンプル９、９間に頭部を挿入、すなわち使用者の頭部の両耳部の上側間を両テンプル９、９間で挟持する。
【００１５】
この挟持時には両テンプル９、９を拡開するとテンプル９、９が丁番１１、１１を支点として拡開するだけではなく、弾性を有する鎧部５、５の他方の部分１０ｂ、１０ｂも変位させることになる。
【００１６】
すなわち、拡開状態の両テンプル９、９間を頭部よりも狭くしておくことで、鎧部５、５の他方の部分１０ｂ、１０ｂを弾性変形させることと、テンプル９、９自体が外方に変位することとが相俟ってテンプル９、９自体が使用者の頭部に面状に当接することになる。
なお、テンプル９、９自体が弾性変位することがない場合であっても鎧部５、５の他方の部分１０ｂ、１０ｂが弾性変形することでテンプル９、９は使用者の頭部に面状に当接することになる。
【００１７】
したがって、一般的な眼鏡フレームの場合のようにテンプルの一部が頭部と当接してその部分の頭部に大きな力を作用させて使用者が強い装着感を感じるのと異なって、鎧部の他方の部分１０ｂ、１０ｂの存在によりテンプル９、９が面接触、すなわち湾曲状に当接することとなって頭部の各部に小さい力を作用させるので長時間に渡って使用しても使用者が強い装着感を感じることがない。しかも、確実に使用者の頭部を挟持しているので使用中にずれたり落下したりする恐れは全く無いものである。
【００１８】
なお、前記実施の形態においては、フロントフレームはフルリムタイプ、ハーフリムタイプ、ツーポイントタイプであっても良いものである。
【図面の簡単な説明】
【００１９】
【図１】この発明の実施の形態による眼鏡フレームの概略平面図である。
【図２】この発明の実施の形態による眼鏡フレームの概略正面図である。
【図３】この発明の実施の形態による眼鏡フレームを斜め上方から見た概略図である。
【図４】この発明の実施の形態による眼鏡フレームのリムと鎧部とテンプルとの連結状態を示す概略図であって、図４（ａ）はテンプルの拡開した状態を示す要部の概略図、図４（ｂ）は内方に屈曲した状態を示す要部の概略図である。
【符号の説明】
【００２０】
１……眼鏡フレーム
２……レンズ
３……リム
４……ブリッジ
５……鎧部
６……湾曲部
８……被覆部材
９……テンプル
１０ａ、１０ｂ……分割部分
１１……丁番
１４……ノーズパッド
【図１】
2008058784.tif 000003
【図２】
2008058784.tif 000004
【図３】
2008058784.tif 000005
【図４】
2008058784.tif 000006